(57)【要約】【課題】ＭＰＬＳ　ＶＰＮゲートウエイベースのネットワーク方法を提供すること。【解決手段】本発明の方法は、ローカルＩＳＰネットワークと上位のＩＳＰネットワーク／他のＩＳＰネットワークとの間の１つ以上のＭＰＬＳ　ＶＰＮを設定する工程と、ＭＰＬＳ　ＶＰＮゲートウエイとローカルＩＳＰネットワークおよび上位のＩＳＰネットワーク／他のＩＳＰネットワークとを接続する工程と、同時にＭＰＬＳ　ＶＰＮゲートウエイとネットワークトポロジーによる加入者ネットワークにおけるＣＥデバイスとを接続する工程と、ＭＰＬＳ　ＶＰＮゲートウエイに対応する機能がサービスを開始してＭＰＬＳ　ＶＰＮサービスを提供する工程とを含み、従来のネットワークアクセス能力をＭＰＬＳ　ＶＰＮサービスに速やかに提供し、競争力を強化し、従来の投資を保護することを可能にする。【選択図】　図１
2004072708.tif 000002
【特許請求の範囲】
【請求項１】
（１）ローカルＩＳＰネットワークと上位のＩＳＰネットワーク／他のＩＳＰネットワークとの間の１つ以上のマルチプロトコルラベルスイッチングバーチャルプライベートネットワーク（ＭＰＬＳ　ＶＰＮ）ゲートウエイを設定する工程と、
（２）ネットワークトポロジーに従う加入者のネットワークにおいて、該ＭＰＬＳ　ＶＰＮと、該ローカルＩＳＰネットワークおよび該上位のＩＳＰネットワーク／他のＩＳＰネットワークとを接続し、該ＭＰＬＳ　ＶＰＮゲートウエイとＣＥデバイス（カスタムエッジルータ）とを接続する工程と、
（３）ＭＰＬＳ　ＶＰＮサービスを提供するように該ＭＰＬＳ　ＶＰＮゲートウエイ上で対応する機能を開始する工程と
を含むＭＰＬＳ　ＶＰＮゲートウエイに基づくネットワーク方法。
【請求項２】
前記工程（１）では、前記１つ以上のＭＰＬＳ　ＶＰＳゲートウエイが前記ＭＰＬＳ　ＶＰＮサービスの実際のトラフィックに従って設定される、請求項１に記載のＭＰＬＳ　ＶＰＮゲートウエイに基づくネットワーク方法。
【請求項３】
前記ＭＰＬＳ　ＶＰＮゲートウエイがＩＰ、ローカルエリアネットワーク（ＬＡＮ）、ＶＬＡＮ（バーチャルローカルエリアネットワーク）またはＡＴＭ　ＰＶＣ（非同期転送モード永久バーチャル接続）を介して、前記ローカルＩＳＰネットワークに接続される、請求項２に記載のＭＰＬＳ　ＶＰＮゲートウエイに基づくネットワーク方法。
【請求項４】
前記ＭＰＬＳ　ＶＰＮゲートウエイと前記上位のＩＳＰネットワーク／他のネットワークとの間のネットワーク接続は、ＩＰプロトコルおよびＭＰＬＳプロトコルの両方を支援する、請求項３に記載のＭＰＬＳ　ＶＰＮゲートウエイに基づくネットワーク方法。
【請求項５】
前記加入者ネットワークにおける前記ＭＰＬＳ　ＶＰＮゲートウエイとＣＥデバイスとの間のネットワーク接続は、物理リンクに直接接続される、請求項４に記載のＭＰＬＳ　ＶＰＮゲートウエイに基づくネットワーク方法。
【請求項６】
前記加入者ネットワークにおいて、前記ＭＰＬＳ　ＶＰＮゲートウエイは、物理リンクにより前記ＣＥデバイスと前記元のＩＳＰネットワークとを直接接続することによって、および該ＣＥデバイスと該ＭＰＬＳ　ＶＰＮとを該元のＩＳＰネットワークを介して接続することによって該ＣＥデバイスに接続される、請求項４に記載のＭＰＬＳ　ＶＰＮゲートウエイに基づくネットワーク方法。
【請求項７】
前記加入者ネットワークにおいて、前記ＭＰＬＳ　ＶＰＮゲートウエイは、物理リンクまたは前記元のＩＳＰネットワークによって実現された２レイヤーまたは３レイヤー接続によって、前記ＣＥデバイスに接続される、請求項５または６に記載のＭＰＬＳ　ＶＰＮゲートウエイに基づくネットワーク方法。
【発明の詳細な説明】
【０００１】
【発明の属する技術分野】
本発明は、ネットワーク方法に関し、特に多重プロトコルラベルスイッチングバーチャルプライベートネットワーク（ＭＰＬＳ　ＶＰＮ）ゲートウエイベースのネットワーク方法に関する。
【０００２】
【従来の技術】
バーチャルプライベートネットワーク（ＶＰＮ）は、公共ネットワーク（例えばＩＳＰのネットワークリソース）を用いて、独自の要求を満たす目的を有する企業または特定のユーザグループによって実現されるプライベートネットワークである。ＶＰＮを介して、企業または特定のユーザグループは、データを低コストで転送するために、支店、リモートユーザ、ビジネスパートナの間の安全な接続および信頼性のある接続を確立し得る。典型的には、従来のＶＰＮは、ＩＰベース（すなわち、ＩＰ　ＶＰＮ）であり、ＩＰネットワーク構造を有する専用ＷＡＮをシミュレートし、Ｌ２ＴＰ（２レイヤートンネルプロトコル）等のいくつかのＩＰトンネルメカニズムによって実現される。ＶＰＮ加入者のデータは、トンネルを介して転送される。しかし、ＩＰ　ＶＰＮは、構成、管理、および拡張することが困難である。
【０００３】
マルチプロトコルラベルスイッチング（ＭＰＬＳ）技術は、３レイヤーＩＰ技術および２レイヤーハードウエアスイッチング技術を結合し、ＭＰＬＳネットワーク内のグループ転送に対する独特のサインとして固有の長さのラベルを利用する。この技術は、ＩＰ技術および高性能なＱｏＳ能力、ＡＴＭ（非同期転送モード）等のハードウエアスイッチング技術のトラフィック制御能力の柔軟性および拡張性を統合する。ＭＰＬＳ技術は、多くの問題（ＱｏＳ、グループ放送、およびＶＰＮ支援等）を解決するばかりではなく、トラフィックエンジニアリング、ルートディスプレイ等の多くの新しい機能を実現する。従って、ＭＰＬＳは、理想的なＩＰバックボーンネットワーク技術である。
【０００４】
ＭＰＬＳ／ＢＧＰ　ＶＰＮは、ＭＰＬＳ技術および公共ネットワークにおけるＢＧＰ（より広いゲートウエイプロトコル）を用いることによってＩＰ　ＶＰＮサービスを提供するための解決策である。図１は、ＩＳＰネットワークがＰデバイスおよびＰＥデバイスを含む、ＭＰＬＳ／ＢＧＰ　ＶＰＮのネットワークトポロジーを示す。
【０００５】
Ｐデバイス（プロバイダルータ）は、主にＭＰＬＳ転送を担う。ＰＥデバイス（プロバイダエッジルータ）は、ＭＰＬＳ／ＢＧＰ　ＶＰＮサービスを提供するための主本体である。ＰＥデバイスは各ＶＰＮ加入者のサイトについての独立ルートテーブルを保守し、ＢＧＰを介してＶＰＮトポロジーおよびＶＰＮ内部ルートのトレーニングの検出を実現する。ＣＥデバイス（カスタムエッジルータ）は共通のルータであり、ＭＰＬＳまたはＶＰＮのシグナリングおよびプロトコルへの任意の支援なしでＶＰＮ加入者のサイトとＰＥとを直接的に接続する。
【０００６】
ＶＰＮユーザは、複数のサイトを有し得る。各サイトは、ネットワークまたはサブネットワークの任意のセットであり得る。ＶＰＮにおける複数のサイトは、ＩＳＰ　ＭＰＬＳネットワークを介して３レイヤー相互接続アーキテクチャを構成し、ＩＳＰ　ＮＰＬＳネットワークは、このサイト間のタスクのルーチングおよび転送を担う。
【０００７】
【発明が解決しようとする課題】
しかし、ＩＳＰは、ＭＰＬＳ／ＢＧＰ　ＶＰＮサービスを提供する場合、以下の問題に直面する。ＭＰＬＳ／ＢＧＰ　ＶＰＮがネットワーク構造として利用される場合、ＩＳＰネットワークは、ＰデバイスおよびＰＥデバイスから構成され、ＭＰＬＳ技術を完全に支援し、ＭＰＬＳ／ＢＧＰ能力を有する。しかし、ほとんどの従来のＩＳＰネットワークは、（ルータネットワーク、ＡＴＭネットワーク、またはイーサネット（Ｒ）ネットワークを含む様々な技術）を使用する。これらのネットワークにおける多くの元のデバイスは、ＭＰＬＳ機能を有さない。ネットワークにおいて、ＭＰＬＳ／ＢＧＰ　ＶＰＮ機能を実現する、対応するＰデバイスまたはＰＥデバイスは存在しない。ＩＳＰがＭＰＬＳ／ＢＧＰ　ＶＮサービスを提供したい場合、従来のネットワークはアップグレードされ、大幅に再構築される。これにより従来のサービスに対して逆効果をもたらすばかりでなく、多くのＰＥデバイスを再構築するように巨大な投資を必要とする。上記問題はＭＰＬＳ／ＢＧＰ　ＶＰＮサービスの発展および普及に対して厳しい制限ファクタとなる。
【０００８】
【課題を解決するための手段】
本発明のＭＰＬＳ　ＶＰＮゲートウエイに基づくネットワーク方法は、（１）ローカルＩＳＰネットワークと上位のＩＳＰネットワーク／他のＩＳＰネットワークとの間の１つ以上のマルチプロトコルラベルスイッチングバーチャルプライベートネットワーク（ＭＰＬＳ　ＶＰＮ）ゲートウエイを設定する工程と、（２）ネットワークトポロジーに従う加入者のネットワークにおいて、該ＭＰＬＳ　ＶＰＮと、該ローカルＩＳＰネットワークおよび該上位のＩＳＰネットワーク／他のＩＳＰネットワークとを接続し、該ＭＰＬＳ　ＶＰＮゲートウエイとＣＥデバイス（カスタムエッジルータ）とを接続する工程と、（３）ＭＰＬＳ　ＶＰＮサービスを提供するように該ＭＰＬＳ　ＶＰＮゲートウエイ上で対応する機能を開始する工程とを含み、それにより上記目的が達成される。
【０００９】
前記工程（１）では、前記１つ以上のＭＰＬＳ　ＶＰＳゲートウエイが前記ＭＰＬＳ　ＶＰＮサービスの実際のトラフィックに従って設定されてもよい。
【００１０】
前記ＭＰＬＳ　ＶＰＮゲートウエイがＩＰ、ローカルエリアネットワーク（ＬＡＮ）、ＶＬＡＮ（バーチャルローカルエリアネットワーク）またはＡＴＭ　ＰＶＣ（非同期転送モード永久バーチャル接続）を介して、前記ローカルＩＳＰネットワークに接続されてもよい。
【００１１】
前記ＭＰＬＳ　ＶＰＮゲートウエイと前記上位のＩＳＰネットワーク／他のネットワークとの間のネットワーク接続は、ＩＰプロトコルおよびＭＰＬＳプロトコルの両方を支援してもよい。
【００１２】
前記加入者ネットワークにおける前記ＭＰＬＳ　ＶＰＮゲートウエイとＣＥデバイスとの間のネットワーク接続は、物理リンクに直接接続されてもよい。
【００１３】
前記加入者ネットワークにおいて、前記ＭＰＬＳ　ＶＰＮゲートウエイは、物理リンクにより前記ＣＥデバイスと前記元のＩＳＰネットワークとを直接接続することによって、および該ＣＥデバイスと該ＭＰＬＳ　ＶＰＮとを該元のＩＳＰネットワークを介して接続することによって該ＣＥデバイスに接続されてもよい。
【００１４】
前記加入者ネットワークにおいて、前記ＭＰＬＳ　ＶＰＮゲートウエイは、物理リンクまたは前記元のＩＳＰネットワークによって実現された２レイヤーまたは３レイヤー接続によって、前記ＣＥデバイスに接続されてもよい。
【００１５】
本発明の目的は、ＭＰＬＳ　ＶＰＮゲートウエイベースのネットワーク方法を提供することである。この方法を用いて、ＩＳＰは、従来のＩＳＰネットワークのアーキテクチャを改変することなく最小化されたコストでＭＰＬＳ／ＢＧＰ　ＶＰＮサービスを速やかに送達し得る。
【００１６】
上記目的を達成するために、本発明におけるＭＰＬＳ　ＶＰＮゲートウエイベースのネットワーク方法は以下の方法を含む。
（１）ローカルＩＳＰネットワークと上位のＩＳＰネットワーク／他のＩＳＰネットワークとの間の１つ以上のマルチプロトコルラベルスイッチングバーチャルプライベートネットワーク（ＭＰＬＳ　ＶＰＮ）ゲートウエイを設定する工程と、
（２）ネットワークトポロジーによる加入者のネットワークにおいて、ＭＰＬＳＶＰＮゲートウエイと、ローカルＩＳＰおよび上位のＩＳＰネットワーク／他のＩＳＰネットワークとを接続し、該ＭＰＬＳ　ＶＰＮゲートウエイと（カスタムエッジルータ）ＣＥデバイスとを接続する工程と、
（３）ＭＰＬＳ　ＶＰＮサービスを提供するようにＭＰＬＳ　ＶＰＮゲートウエイ上で対応する機能を開始する工程とを含む。
【００１７】
工程（１）では、前記１つ以上のＭＰＬＳ　ＶＰＳゲートウエイが前記ＭＰＬＳ　ＶＰＮサービスの実際のトラフィックに従って設定される。
【００１８】
前記ＭＰＬＳ　ＶＰＮゲートウエイがＩＰ、ローカルエリアネットワーク（ＬＡＮ）、ＶＬＡＮ（バーチャルローカルエリアネットワーク）またはＡＴＭ　ＰＶＣ（非同期転送モード永久バーチャル接続）を介して、前記ローカルＩＳＰネットワークに接続される。
【００１９】
前記ＭＰＬＳ　ＶＰＮゲートウエイと前記上位のＩＳＰネットワーク／他のネットワークとの間の接続は、ＩＰプロトコルおよびＭＰＬＳプロトコルの両方を支援する。
【００２０】
前記加入者ネットワークにおける前記ＭＰＬＳ　ＶＰＮゲートウエイとＣＥデバイスとの間は、物理リンクを介してネットワーク接続される。
【００２１】
前記加入者ネットワークにおいて、前記ＭＰＬＳ　ＶＰＮゲートウエイとＣＥデバイスとの間の接続は、物理リンクにより前記ＣＥデバイスと前記元のＩＳＰネットワークとを接続し、次いで元のＩＳＰネットワークを介してＣＥデバイスとＭＰＬＳ　ＶＰＮとを接続する工程とによって実現される。
【００２２】
前記加入者ネットワークにおいて、前記ＭＰＬＳ　ＶＰＮゲートウエイとＣＥデバイスとの間の接続は、元のＩＳＰネットワークを介して実現された物理的な直接接続および２レイヤーまたは３レイヤー接続を含む。
【００２３】
本発明の方法に従って、ＭＰＬＳ　ＶＰＮのサービスの水準は、元のＩＳＰネットワークに基づいてＭＰＬＳ　ＶＰＮゲートウエイを設定することによって構築される。ＭＰＬＳ　ＶＰＮのサービスの水準が、データ転送の水準からネットワークサービス水準の分離を実現する。この態様では、元のネットワークは、加入者アクセスおよびデータ転送に特化され得るが、新しく付加されたネットワークはＭＰＬＳ　ＶＰＮサービスの提供に対して特化され得る。従って、ＩＳＰは、従来のネットワーク構造を改変することなく低コストでＭＰＬＳ　ＶＰＮサービスを速やかに送達する従来のネットワークのアクセス能力を利用して、競争力を強化し、従来の投資を保護する。
【００２４】
【発明の実施の形態】
本発明はＢＧＰが使用される以下の図面をさらに詳細に参照して説明する。
【００２５】
従来のＩＳＰネットワークに基づいて、本発明の方法は、従来のＩＳＰネットワークをデータ転送の水準として利用し、この水準についてのサービスネットワークを重ね合わせてネットワークサービスの水準を構築する。すなわち、従来のＩＳＰネットワークと他のＩＳＰネットワークとの間の境界においてより少ないＭＰＬＳ　ＶＰＮゲートウエイを展開して、従来のＩＳＰネットワークのアクセス能力を利用し、直接物理リンク、２レイヤー、または３レイヤー接続方法を介して、加入者のネットワークをＭＰＬＳ　ＶＰＮゲートウエイに接続する。ＭＰＬＳ　ＶＰＮゲートウエイは、従来のネットワーク構造を改変するとなく低コストで、全てのローカルＭＰＬＳ／ＢＧＰ　ＶＰＮサービスを処理し、ＭＰＬＳ／ＢＧＰ　ＶＰＮサービスを速やかに提供し、競争力を強化することを担う。
【００２６】
図３は、本発明による方法の実施形態のフローチャートである。工程（１）に従って、１つ以上のＭＰＬＳ　ＶＰＮゲートウエイは、ＩＳＰネットワークと上位のＩＳＰネットワーク／他のネットワークとの間で設定される。ＭＰＬＳ　ＶＰＮゲートウエイセットの正確な数は、ＭＰＬＳ　ＶＰＮサービスの実際のトラフィックに依存する。ＭＰＬＳ　ＶＰＮゲートウエイが設定された後、工程（２）においてローカルＩＳＰネットワークおよび上位のＩＳＰネットワーク／他のＩＳＰネットワークに接続される。詳細には、ローカルＩＳＰネットワークとＭＰＬＳ　ＶＰＮゲートウエイとの間の接続は、ＩＰ、ＬＡＮ、ＶＬＡＮ、またはＡＴＭ　ＰＶＣを介して実施される。例えば、ＩＳＰネットワークがネットワークの際にイーサネット（Ｒ）を利用する場合、ＬＡＮ／ＶＬＡＮが使用され得る。ＩＳＰネットワークがネットワークの際にＡＴＭを利用する場合、ＡＴＭ　ＰＶＣが使用され得る。ＩＳＰネットワークがネットワークの際にルータを利用する場合、ＩＰが使用され得る。ＩＳＰネットワークがネットワークの際にイーサネット（Ｒ）を利用する場合、ＬＡＮ／ＶＬＡＮが使用され得る。ＭＰＬＳ／ＢＧＰ　ＶＰＮサービスがローカルＩＳＰネットワークを介して提供される場合、接続が確立され、同時に接続がＩＰおよびＭＰＬＳ機能の両方をサポートすべきである。ローカルＩＳＰネットワークのＭＰＬＳ　ＶＰＮゲートウエイは、上位のＩＳＰネットワーク／他のＩＳＰデバイス（ＭＰＬＳとＭＰＬＳ／ＢＧＰ　ＶＰＮとの間の対応するシグナリングおよびプロトコルをサポートする）を用いて相互接続される。従来のＭＰＬＳ　ＶＰＮにおける上記デバイスおよび上位のＩＳＰネットワークまたは／他のＩＳＰデバイスは、同一のデバイスであり得る。複数のＭＰＬＳ　ＶＰＮゲートウエイが設定された場合、上記接続は独立／従属であり得る。工程３では、ＭＰＬＳ　ＶＰＮゲートウエイが加入者ネットワーク内でＣＥデバイスに接続される。加入者ネットワーク内のＭＰＬＳ　ＶＰＮゲートウエイとＣＥデバイスとの間の接続は、直接物理リンク（イーサネット（Ｒ）、デジタルデータネットワーク（ＤＤＮ）、ＡＴＭ等）を含み得、あるいは加入者ネットワーク内のＣＥデバイスは直接物理リンクを介して元のＩＳＰネットワークに接続され得、従って元のネットワークのアクセス能力を用いることによってＭＰＬＳ　ＶＰＮに接続される。これらの接続は、以下の２つの接続を含む。
【００２７】
２レイヤー接続（リンクレイヤーにおけるリンク）：例えば、加入者のＣＥデバイスは、ＩＳＰの元のＡＴＭまたはＬＡＮＳＷＩＴＣＨネットワークにおけるＡＭＴ　ＰＶＣまたはＬＡＮ／ＶＬＡＮを介してＭＰＬＳ　ＶＰＮゲートウエイに接続され得る。
【００２８】
３レイヤー接続（ネットワークレイヤーにおける相互接続）：例えば、加入者のＣＥデバイスは、ＩＳＰネットワークにおけるＩＰ、ＧＲＥ、ＩＰＳＥＣ、またはＬ２ＴＰのような元のトンネル技術を用いてＭＰＬＳ　ＶＰＮゲートウエイに接続され得る。
【００２９】
最後に、工程（４）では、ＭＰＬＳ　ＶＰＮゲートウエイ上の対応する機能を開始し、ＭＰＬＳ　ＶＰＮサービスを提供する。ＭＰＬＳ　ＶＰＮゲートウエイに対して、全アクセス方法は、直接物理リンク接続と同一である。加入者のＣＥデバイスは、様々な方法によってＭＰＬＳ　ＶＰＮゲートウエイにアクセスする場合、対応する機能が活性化され、ＰＥデバイスと同様に構成される。ＭＰＬＳ／ＢＧＰ　ＶＰＮサービスが複数のＩＳＰネットワークを介して提供される場合、ローカルＩＳＰネットワークのＭＰＬＳ　ＶＰＮゲートウエイとＭＰＬＳ　ＶＰＮゲートウエイに接続された他のＩＰＳのデバイスとの間の関係が、ＭＰＬＳ／ＢＧＰ　ＶＰＮネットワークモデルにおける「ＰＥ−Ｐ」関係と同一である。
【００３０】
図２を参照して、本発明の方法により構成されたネットワーク構造であって、ＭＰＬＳ　ＶＰＮゲートウエイが標準ＰＥデバイス（図２）であり得、様々な方法を介してＣＥデバイスにアクセスするリッチアクセス特性を有する。ＭＰＬＳＶＰＮゲートウエイは、ネットワークのサービスの水準を構成し、ＭＰＬＳ／ＢＧＰ　ＶＰＮサービスの送達を担う。
【００３１】
Ｘはルータ、イーサネット（Ｒ）スイッチ、またはＡＴＭデバイス等を表し、Ｘは、任意のＭＰＬＳまたはＭＰＬＳ／ＢＧＰ　ＶＰＮシグナリングまたはプロトコルを支援するように要求されない。ＭＰＬＳ　ＶＰＮゲートウエイベースの方法は、元のネットワーク構造について技術的な要求を有さず、この方法は、ルータネットワーク、ＡＴＭスイッチネットワークまたはイーサネット（Ｒ）スイッチネットワーク等であり得る。Ｘデバイスは、ネットワークのデータ転送の水準を構成し、ユーザアクセスおよびデータ転送を担う。
【００３２】
Ｙは、ＣＥデバイスとＩＳＰネットワークデバイス（Ｘ）とＭＰＬＳ　ＶＰＮゲートウエイデバイスとの間の接続、またはＩＳＰネットワークデバイス（Ｘ）とＭＰＬＳ　ＶＰＮゲートウエイデバイスとの間の接続を表す。Ｙは、ＩＰ、ＬＡＮ／ＶＡＮ、またはＡＴＭ　ＰＶＣを含む様々な接続を表す。
【００３３】
Ｚは、ＭＰＬＳ　ＶＰＮゲートウエイデバイス間の接続、あるいは、ＭＰＬＳ
ＶＰＮゲートウエイデバイスと上位のデバイスまたは他のＩＳＰデバイス（ＭＰＬＳおよびＭＰＬＳ／ＢＧＰ　ＶＰＮシグナリングならびにプロトコルを支援する）との間の接続を表し、このような接続は、ＩＰおよびＭＰＬＳの両方を支援するように要求される。
【００３４】
図２では、ＣＥデバイスは、様々な方法でＭＰＬＳ　ＶＰＮゲートウエイデバイスに接続され得、ＣＥデバイスは、直接物理リンク、２レイヤー（リンクまたはリンクレイヤー）および３レイヤー（ネットワークレイヤー上の相互接続）法を含む。ＭＰＬＳ　ＶＰＮゲートウエイは、全ローカルＩＳＰネットワークにおけるＭＰＬＳ／ＢＧＰ　ＶＰＮサービスの処理およびＭＰＬＳ／ＢＧＰ　ＶＰＮサービストラフィック能力の提供を担う。
【００３５】
複数のＩＳＰネットワークを介して提供されるＭＰＬＳ／ＢＧＰ　ＶＰＮサービスを考慮する際、電流ＩＳＰネットワークのＭＰＬＳ　ＶＰＮゲートウエイは、上位のＩＳＰまたは他のＩＳＰネットワーク（ＭＰＬＳおよびＭＰＬＳ／ＢＧＰ　ＶＰＮシグナリングおよびプロトコルを支援する）を用いて相互接続される。上記デバイスおよび上位のＩＳＰデバイス、あるいは、他のＩＳＰデバイスに接続された、元のローカルＩＳＰネットワークへのアップリンクは同一のデバイスであり得る。ＭＰＬＳ／ＢＧＰ　ＶＰＮサービスが複数のＩＳＰネットワークを介して提供される場合、ローカルＩＳＰネットワークのＭＰＬＳ　ＶＰＮゲートウエイとＭＰＬＳ　ＶＰＮゲートウエイに接続された他のＩＳＰのデバイスとの間の関係は、ＭＰＬＳ／ＢＧＰ　ＶＰＮネットワークモジュールにおけるＰＥ−Ｐ関係である。
【００３６】
ＭＰＬＳ／ＢＧＰ　ＶＰＮトラフィックが増加する場合、より多くのＭＰＬＳ
ＶＰＮゲートウエイが以下の２つの態様のいずれかで徐々に追加され得る。独立展開：ＭＰＬＳ　ＶＰＮゲートウエイが互いに独立であり、Ｙデバイスがダウンリンクで使用され、Ｚデバイスがアップリンクで使用される。従属展開：新たに追加されたＭＰＬＳ　ＶＰＮゲートウエイに対して、Ｙデバイスがダウンリンクで使用されるが、従来のＭＰＬＳ　ＶＰＮゲートウエイデバイスはＺデバイスを介してアップリンクに接続される。
【００３７】
【発明の効果】
以上により、本発明はＭＰＬＳ　ＶＰＮゲートウエイベースのネットワーク方法を提供することができる。この方法を用いて、ＩＳＰは、従来のＩＳＰネットワークのアーキテクチャを改変することなく最小化されたコストでＭＰＬＳ／ＢＧＰ　ＶＰＮサービスを速やかに送達することができる。
【図面の簡単な説明】
【図１】図１は、従来のＭＰＬＳ　ＶＰＮのネットワーク構造を示す。
【図２】図２は、本発明の方法によって構成されたＭＰＬＳ　ＶＰＮのネットワーク構造を示す。
【図３】図３は、本発明による方法の実施形態のフローチャートである。
【図１】
2004072708.tif 000003
【図２】
2004072708.tif 000004
【図３】
2004072708.tif 000005